(57)【要約】【課題】化粧料の使い残しを大幅に低減できる化粧料容器を提供することを課題とする。【解決手段】扱き部材７において容器本体１の肩部５より下方へ向かって突出する突出部１５が、下方へ行くに従って拡径する拡径部１７を有し、この拡径部１７の下端部１８が、容器本体１の肩部５より下方の内面に接触又は近接する構成を採用することによって、突出部１５の外面Ａと、容器本体１の肩部５の内面Ｂと、容器本体１において突出部１５に対向する肩部５近傍の内面（拡径部１７の下端部１８に対向する位置より上方の内面）Ｃとにより画成される空間Ｓへの化粧料Ｌの進入を抑制し、これにより当該空間Ｓに化粧料Ｌが溜まることを抑制する。【選択図】図１
2017202097.tif 000002
【特許請求の範囲】
【請求項１】
化粧料を収容する有底筒状の収容部の端部に対し縮径する肩部を介して開口頚部が繋がる容器本体と、扱き孔を形成する扱き部を内側に備え前記開口頚部の内周側に装着された筒状の扱き部材と、前記開口頚部に着脱可能に装着された蓋体と、前記蓋体から延在し前記蓋体が前記開口頚部に装着された状態で前記扱き孔を通りその先端の塗布部が前記収容部内の前記化粧料に進入する塗布具と、を備えた化粧料容器であって、
前記扱き部材は、前記肩部より下方へ向かって突出する突出部を備え、
前記突出部は、下方へ行くに従って拡径する拡径部を有し、前記拡径部の下端部は、前記容器本体の前記肩部より下方の内面に接触又は近接することを特徴とする化粧料容器。
【請求項２】
前記拡径部は、変形可能な弾性材より形成されていることを特徴とする請求項１記載の化粧料容器。
【請求項３】
前記蓋体を前記容器本体から取り外し前記塗布部が前記拡径部内に位置した状態で、前記蓋体を傾けたときの前記塗布部の可動域に、前記拡径部の内面が位置することを特徴とする請求項１又は２記載の化粧料容器。
【請求項４】
前記扱き部は、前記拡径部の基端に設けられていることを特徴とする請求項３記載の化粧料容器。
【請求項５】
前記拡径部は、テーパー状に拡径することを特徴とする請求項１〜４の何れか一項に記載の化粧料容器。
【発明の詳細な説明】
【技術分野】
【０００１】
本発明は、化粧料を塗布するための化粧料容器に関する。
【背景技術】
【０００２】
従来、化粧料を収容する有底筒状の収容部の端部に対し縮径する段差部を介して口頸部（開口頚部）が繋がる容器（容器本体）と、開口（扱き孔）を形成する扱き弁を内側に備え口頸部の内周側に装着された筒状の扱き部材と、口頸部に着脱可能に装着された蓋体と、蓋体から延在する支持軸の先端に設けられ、蓋体が口頸部に装着された状態で扱き弁の開口を通り収容部内の化粧料に浸漬する塗布部と、を備えた化粧料塗布装置（化粧料容器）が知られている（例えば、特許文献１参照）。この化粧料塗布装置では、段差部が、上段と下段の２段の段差で段階的に縮径していく構成となっている。扱き部材は、その外周面に、上段の段差部に下から係合するための扱き部材側の段差部が円環状に突出する扱き突起部を備え、この扱き突起部は、上段の段差部に係合する扱き部材側の段差部からさらに下方へ向かって延びる円筒状部分（以下、突出部と呼ぶ）を有している。そして、この化粧料塗布装置にあっては、支持軸の軸線方向に対して傾斜する形状の塗布部によって、下段の段差部（収容部の上部の隅である所謂肩部；以下肩部と呼ぶ）に付着した化粧料を掻き取ることができるとされている。
【先行技術文献】
【特許文献】
【０００３】
【特許文献１】特開２０１４−４３１５号公報
【発明の概要】
【発明が解決しようとする課題】
【０００４】
しかしながら、特許文献１の化粧料塗布装置では、特別な形状の塗布部を用いる場合にしか適用できず、しかも、下段の肩部の化粧料を十分に取るのは難しく時間を要する。また、上段の肩部及びその近傍、具体的には、扱き突起部の突出部の外周面、上段の肩部の内面、容器において突出部に対向する肩部近傍の内周面に化粧料が付着したままとなり、これらの面により画成される（これらの面で囲まれる）空間に、化粧料が溜まってしまい、化粧料の使い残しが生じてしまう。このような使い残しは、容器内に付着しやすい粘度の高い化粧料の場合に特に顕著となる。
【０００５】
そこで、本発明は、化粧料の使い残しを大幅に低減できる化粧料容器を提供することを目的とする。
【課題を解決するための手段】
【０００６】
本発明による化粧料容器は、化粧料を収容する有底筒状の収容部の端部に対し縮径する肩部を介して開口頚部が繋がる容器本体と、扱き孔を形成する扱き部を内側に備え開口頚部の内周側に装着された筒状の扱き部材と、開口頚部に着脱可能に装着された蓋体と、蓋体から延在し蓋体が開口頚部に装着された状態で扱き孔を通りその先端の塗布部が収容部内の化粧料に進入する塗布具と、を備えた化粧料容器であって、扱き部材は、肩部より下方へ向かって突出する突出部を備え、突出部は、下方へ行くに従って拡径する拡径部を有し、拡径部の下端部は、容器本体の肩部より下方の内面に接触又は近接することを特徴としている。
【０００７】
このような化粧料容器によれば、扱き部材において容器本体の肩部より下方へ向かって突出する突出部が、下方へ行くに従って拡径する拡径部を有し、この拡径部の下端部が、容器本体の肩部より下方の内面に接触又は近接するため、突出部の外面と、容器本体の肩部の内面と、容器本体において突出部に対向する肩部近傍の内面（拡径部の下端部に対向する位置より上方の内面）とにより画成される空間への化粧料の進入が抑制され、これにより当該空間に化粧料が溜まることを抑制でき、化粧料の使い残しを大幅に低減できる。
【０００８】
ここで、拡径部は、変形可能な弾性材より形成されていると、開口頚部の筒孔より大きい拡径部を窄めた状態で開口頚部の筒孔に通すことができ、扱き部材の開口頚部への装着が容易となる。
【０００９】
また、蓋体を容器本体から取り外し塗布部が拡径部内に位置した状態で、蓋体を傾けたときの塗布部の可動域に、拡径部の内面が位置していると、蓋体を傾けた状態で、塗布部と拡径部の内面とを接触させることができ、拡径部の内面に付着した化粧料を容易に掻き取ることができる。また、拡径部が変形可能な弾性材より形成されている場合には、接触する塗布部に倣って拡径部が容易に変形するため、拡径部の内面に付着した化粧料を一層容易に掻き取ることができる。
【００１０】
また、扱き部は、拡径部の基端に設けられていると、拡径部の基端から下端部に亘って内面に付着した化粧料を容易に掻き取ることができる。
【００１１】
ここで、上記作用を好適に奏する拡径部の構成としては、具体的には、テーパー状に拡径する構成が挙げられる。
【発明の効果】
【００１２】
このように本発明によれば、化粧料の使い残しを大幅に低減できる化粧料容器を提供することができる。
【図面の簡単な説明】
【００１３】
【図１】本発明の実施形態に係る化粧料容器を示す縦断面図である。
【図２】図１に示す化粧料容器から蓋体を取り外した状態を示す縦断面図である。
【図３】扱き部材内面に付着した化粧料を塗布部により掻き取っている様子を示す説明図である。
【図４】図１〜図３中の扱き部材を示す斜視図である。
【図５】図４に示す扱き部材の縦断斜視図である。
【図６】図４及び図５に示す扱き部材の縦断面図である。
【発明を実施するための形態】
【００１４】
以下、本発明による化粧料容器の好適な実施形態について図１〜図６を参照しながら説明する。図１は、本発明の実施形態に係る化粧料容器を示す縦断面図、図２は、図１から蓋体を取り外した縦断面図、図３は、扱き部材内面に付着した化粧料を塗布部により掻き取っている様子を示す説明図、図４〜図６は、扱き部材を示す各図であり、本実施形態の化粧料容器は、内部に収容した化粧料を使用者により適宜被塗布部に塗布することができるものである。化粧料は、ここでは、液状化粧料とされ、特に粘度が高く従来技術で説明したように容器の肩部等の内面に付着したまま残りやすい液状化粧料である。このような液状化粧料としては、リップグロスを始めとして、例えば、マスカラ、アイライナー、アイブロウ等、種々挙げられる。
【００１５】
図１に示すように、液状化粧料容器１００は、液状化粧料Ｌを収容する容器本体１と、容器本体１に着脱可能に装着された蓋体２と、を概略具備している。
【００１６】
容器本体１は、ここでは、硬い樹脂製又は金属製とされ、液状化粧料Ｌを収容するための収容部３と、この収容部３の上部に一体に連設され当該収容部３に繋がる開口頚部４と、を備える。収容部３は、有底円筒状に構成されその内部に液状化粧料Ｌを収容し、開口頚部４は、収容部３より小径の円筒状に構成されて同軸に配置されると共に、収容部３の上端部の縮径する肩部５を介して繋がり、その筒内が収容部３内に連通する構成とされている。肩部５は、ここでは、上り勾配で傾斜し縮径する傾斜部とされているが、水平な段差部等であっても良い。
【００１７】
開口頚部４には、その外周面に、蓋体２を着脱可能に螺合するための雄螺子６が形成され。その内周面に、蓋体２の後述する塗布部１１に付着している余分な液状化粧料Ｌを扱き落とすための扱き部材７（詳しくは後述）が装着される。
【００１８】
蓋体２は、有頂円筒状に構成され、その開口端側の内周面に、開口頚部４の外周面の雄螺子６に螺合する雌螺子８を備える。そして、蓋体２は、その雌螺子８を雄螺子６に螺合することで、容器本体１に対して着脱可能に装着される。
【００１９】
蓋体２には、当該蓋体２から延在する塗布具９が設けられる。塗布具９は、蓋体２内から容器本体１の収容部３側（図示下方）に突出する軸部１０と、軸部１０の先端に設けられた塗布部１１と、を備える。
【００２０】
軸部１０は、蓋体２より小径の円柱体を成している。塗布部１１は、ここでは、スパチュラとされているが、例えば、コーム、巻線ブラシ、筆等であっても良い。
【００２１】
扱き部材７は、図１、図４〜図６に示すように、略円筒状に構成され、ここでは、ＴＰＵ、ＴＰＥ、ゴム材、軟質ＰＰ、軟質ＰＥ、シリコンゴム等の変形可能な弾性材より形成される。この扱き部材７は、開口頚部４の内周面に当接する円筒部１２と、円筒部１２に連設され開口頚部４の上面に当接する鍔部１３と、円筒部１２の下部外周面から外方に環状に張り出し肩部５の内周面に当接する係合突起１４と、を備える。また、扱き部材７は、係合突起１４を含み肩部５より下方へ向かって突出する突出部１５を備える。
【００２２】
突出部１５は、係合突起１４を含むと共に円筒部１２に続いて下方に延び外周面が縮径していく延出部１６と、延出部１６の下端に連設され、下方へ行くに従って拡径する拡径部１７と、を有する。
【００２３】
拡径部１７は、下方へ行くに従ってテーパー状に拡径する拡径円筒状を成し、ここでは、ラッパ状を呈している。なお、拡径部１７は、テーパー状に拡径するのではなく、例えば湾曲しながら拡径する形状等であっても良い。この拡径部１７の下端部１８は、外方に鍔状に張り出している。
【００２４】
また、突出部１５の内周面で、延出部１６と拡径部１７との境界部、すなわち、拡径部１７の基端には、円板状の扱き部１９が内側に張り出すように設けられ、扱き部１９の略中央には、塗布具９が通過する扱き孔２０が設けられる。この扱き孔２０を形成する扱き部１９の内周面が、塗布部１１及び軸部１０に付着した余分な液状化粧料Ｌを扱き落とす。扱き孔２０は、ここでは、円形孔とされているが、塗布部１１の形状によっては例えば楕円孔等であっても良く、また、上下を連通する例えば十字状のスリット等の孔であっても良い。
【００２５】
そして、このような構成を有する扱き部材７は、開口頚部４の筒孔より大きく弾性材より形成された拡径部１７を窄めた状態で、上方から開口頚部４の筒孔に通され、円筒部１２が開口頚部４に圧入されると共に、鍔部１３と係合突起１４との間に開口頚部４を挟み込むことで、開口頚部４に装着される。
【００２６】
この状態で、図１に示すように、拡径部１７の鍔状の下端部１８は、容器本体１の肩部５より下方の内面で、収容部３に収容された液状化粧料Ｌの液面より多少上方位置の内面に接触した状態となっている。
【００２７】
そして、蓋体２が容器本体１の開口頚部４に螺子６，８の螺合により装着されることによって、塗布具９は、扱き部材７の扱き孔２０を通過して容器本体１の収容部３内に進入し、塗布部１１は、収容部３に貯留されている液状化粧料Ｌに浸漬（進入）する構成となっている。
【００２８】
このように構成された液状化粧料容器１００を使用する場合には、図１に示す状態から、使用者は、蓋体２を回し螺子６，８の螺合を解除しながら引き上げて、図２に示すように、蓋体２を容器本体１から取り外す。このとき、扱き部材７の扱き部１９の扱き孔２０を蓋体２の塗布具９が通過し、塗布具９の特に塗布部１１に付着した液状化粧料Ｌが扱き落とされる。そして、塗布部１１に付着した液状化粧料Ｌを被塗布部に塗布し、塗布が終わったら、蓋体２を取り出し時とは逆方向に回し螺子６，８を螺合させながら当該蓋体２を容器本体１に装着する。
【００２９】
ここで、特に本実施形態においては、図１に示すように、扱き部材７において容器本体１の肩部５より下方へ向かって突出する突出部１５が、下方へ行くに従って拡径する拡径部１７を有し、この拡径部１７の下端部１８が、容器本体１の肩部５より下方の内周面に接触する構成のため、突出部１５の外周面Ａと、容器本体１の肩部５の内面Ｂと、容器本体１において突出部１５に対向する肩部５近傍の内周面（拡径部１７の下端部１８に対向する位置より上方の内周面）Ｃとにより画成される空間Ｓへの液状化粧料Ｌの進入を抑制できる。その結果、当該空間Ｓに液状化粧料Ｌが溜まることを抑制でき、液状化粧料Ｌの使い残しを大幅に低減できる。
【００３０】
また、拡径部１７は、変形可能な弾性材より形成されているため、開口頚部４の筒孔より大きい拡径部１７を窄めた状態で開口頚部４の筒孔に通すことができ、扱き部材７の開口頚部４への装着が容易である。
【００３１】
また、本実施形態によれば、図３に示すように、蓋体２を容器本体１から取り外し塗布部１１が拡径部１７内に位置した状態で、蓋体２を傾けたときの塗布部１１の可動域に、拡径部１７の内周面が位置するようになっている。このため、蓋体２を傾けた状態で、塗布部１１と拡径部１７の内周面とを接触させることができ、拡径部１７の内周面に付着した液状化粧料Ｌを容易に掻き取ることができる。また、拡径部１７が変形可能な弾性材より形成されているため、接触する塗布部１１に倣って拡径部１７が容易に変形し、拡径部１７の内周面に付着した液状化粧料Ｌを一層容易に掻き取ることができる。
【００３２】
また、扱き部１９は、拡径部１７の基端に設けられているため、拡径部１７の基端から下端部１８に亘って内周面に付着した液状化粧料Ｌを容易に掻き取ることができる。
【００３３】
なお、本実施形態では、拡径部１７の下端部１８が、容器本体１の肩部５より下方の内周面に接触しているが、容器本体１の肩部５より下方の内周面に近接し、拡径部１７の下端部１８と容器本体１の内周面との間に隙間が形成される構成であっても良く、このような場合でも、特に粘度の高い液状化粧料Ｌであれば、空間Ｓへの進入の虞はない。
【００３４】
因みに、拡径部１７の下端部１８が、容器本体１の肩部５より下方の内周面に近接し上記隙間が形成される構成では、蓋体２を開口頚部４に装着するときに、隙間を通して空間Ｓに対して空気が流通するため、所望の内圧で蓋体２を装着することができる。また、拡径部１７の下端部１８が、容器本体１の肩部５より下方の内周面に接触する構成では、突出部１５に、当該突出部１５の内側と外側を連通する連通孔を設けるのがより好ましく、この連通孔により、近接する場合と同様に、空間Ｓに対する空気の流通が可能となり、所望の内圧で蓋体２を装着することができる。なお、連通孔の有無は限定されない。
【００３５】
以上、本発明をその実施形態に基づき具体的に説明したが、本発明は上記実施形態に限定されるものではなく、例えば、上記実施形態においては、特に好ましいとして、扱き部材７全体を弾性材より形成するようにしているが、拡径部１７のみを弾性材とし、これ以外の部分を硬質材として例えば２色成形等により構成するようにしても良い。なお、収容部３と開口頚部４を分割し、開口頚部４の筒孔に扱き部材７を下方から進入させて装着し、この扱き部材７を有する開口頚部４を収容部３に装着する構成とすることもできる。この場合は、拡径部１７や扱き部材７は変形可能な弾性材ではなくても良く、硬質材であっても良い。
【００３６】
また、上記実施形態においては、扱き部材７及び開口頚部４を、円筒状としているが、例えば、楕円筒状や角筒状等としても良い。また、収容部３も、例えば、有底楕円筒状や有底角筒状等としても良い。
【００３７】
また、上記実施形態においては、蓋体２を螺子により開口頚部４に対して着脱可能としているが、蓋体２を押し込み／引き抜きにより開口頚部４に対して着脱可能としても良い。
【００３８】
また、上記実施形態においては、特に好ましいとして、扱き孔２０を形成する扱き部１９を、拡径部１７の基端に設けているが、扱き部１９の位置は特に限定されるものではない。
【００３９】
また、上記実施形態においては、突出部１５が、延出部１６と拡径部１７とを備える構成となっているが、拡径部１７のみを備える構成としても良い。
【００４０】
また、上記実施形態においては、液状化粧料Ｌに対する適用を述べているが、容器の内面に付着したまま残りやすい例えば半固形状やジェル状等の化粧料に対しても適用可能である。このような半固形状やジェル状等の化粧料では、拡径部１７の下端部１８が、容器本体１の肩部５より下方の内周面に近接する構成であっても、空間Ｓへの進入の虞がない。勿論、これらの化粧料の場合でも、拡径部１７の下端部１８が、容器本体１の肩部５より下方の内周面に接触する構成を採用しても良い。
【００４１】
因みに、本発明は、特開２０１４−４３１５号公報に記載のような段差部を２段有する化粧料容器に対しても適用可能であり、この場合には、拡径部の下端部は、容器の下段の段差部より下方の内周面に接触又は近接する構成としても、上段と下段の段差部の間の内周面に接触又は近接する構成としても良い。拡径部の下端部を、容器の下段の段差部より下方の内周面に接触又は近接する構成とした場合には、突出部の外周面と、容器の上段の肩部及び下段の肩部の内面と、容器において突出部に対向する上段及び下段の肩部近傍の内周面（拡径部の下端部に対向する位置より上方の内周面）とにより画成される空間への化粧料の進入を抑制でき、当該空間に化粧料が溜まることを抑制できる。また、拡径部の下端部を、上段と下段の段差部の間の内周面に接触又は近接する構成とした場合には、突出部の外周面と、上段の肩部の内面と、容器において突出部に対向する上段の肩部近傍の内周面（拡径部の下端部に対向する位置より上方の内周面）とにより画成される空間への化粧料の進入を抑制でき、当該空間に化粧料が溜まることを抑制できる。
【符号の説明】
【００４２】
１…容器本体、２…蓋体、３…収容部、４…開口頚部、５…肩部、７…扱き部材、９…塗布具、１１…塗布部、１５…突出部、１７…拡径部、１８…下端部、１９…扱き部、２０…扱き孔、１００…液状化粧料容器（化粧料容器）、Ｌ…液状化粧料（化粧料）。
【図１】
2017202097.tif 000003
【図２】
2017202097.tif 000004
【図３】
2017202097.tif 000005
【図４】
2017202097.tif 000006
【図５】
2017202097.tif 000007
【図６】
2017202097.tif 000008